(57)【要約】【課題】周方向に明度の異なる領域を有する回転部材の耐久性を高めることができる画像読取装置を提供する。【解決手段】この画像読取装置は、搬送路を搬送される原稿８を読取る読取センサ１と、読取センサ１に対して搬送路を挟んで対向する位置に配置された回転部材１０と、を備える。回転部材１０は、互いに明度の異なる色を有する２つの半円筒状部材１４，１５を組み合わせて形成される。【選択図】図２
2008252378.tif 000002
【特許請求の範囲】
【請求項１】
搬送路を搬送される原稿の画像を読取る読取センサと、
該読取センサに対して前記搬送路を挟んで対向する位置に配置された回転部材と、を備える画像読取装置において、
前記回転部材は、互いに明度の異なる色を有する少なくとも２つの円弧筒部材を組み合わせて形成されることを特徴とする画像読取装置。
【請求項２】
２つの前記円弧筒部材の一方の円弧筒部材が略黒色とされ、他方の円弧筒部材が略白色とされることを特徴とする請求項１に記載の画像読取装置。
【請求項３】
前記略白色の円弧状部材の外周に沿って略白色又は透明のシート状部材を設置したことを特徴とする請求項２に記載の画像読取装置。
【請求項４】
前記略白色の円弧状部材の外周に略白色又は透明の塗膜を形成したことを特徴とする請求項２に記載の画像読取装置。
【請求項５】
２つの前記円弧筒部材が略半円筒形状であることを特徴とする請求項１〜４のいずれか一項に記載の画像読取装置。
【請求項６】
２つの前記円弧筒部材のうちの一方の円弧筒部材の内周側に少なくとも１つの嵌め込み部を設けるとともに、他方の円弧筒部材に前記嵌め込み部と対応する被嵌め込み部を設け、
前記嵌め込み部の少なくとも１つは、前記回転部材の回転中心を含む位置に配置されることを特徴とする請求項１〜５のいずれか一項に記載の画像読取装置。
【請求項７】
前記回転部材と、搬送される原稿を搬送方向に案内する搬送ガイドと、前記回転部材の両端を回転可能に保持する保持部材と、を一体に組み合わせた回転部材ユニットが着脱可能に配置されることを特徴とする請求項１〜６のいずれか一項に記載の画像読取装置。
【請求項８】
前記回転部材の回転軸線を貫通する軸部材を備え、該軸部材に前記回転部材が支持されることを特徴とする請求項１〜６のいずれか一項に記載の画像読取装置。
【請求項９】
前記軸部材は前記嵌め込み部の少なくとも１つに嵌合し、該軸部材が嵌合する前記嵌め込み部の少なくとも１つは前記回転部材の軸方向の中央部近傍に配置されることを特徴とする請求項８に記載の画像読取装置。
【請求項１０】
前記回転部材と、前記軸部材と、搬送される原稿を搬送方向に案内する搬送ガイドと、前記軸部材の両端を保持する保持部材と、を一体に組み合わせた回転部材ユニットが着脱可能に配置されることを特徴とする請求項８又は９に記載の画像読取装置。
【発明の詳細な説明】
【技術分野】
【０００１】
本発明は、搬送機構を用いて原稿を搬送して該原稿の画像を読取るスキャナー等の画像読取装置に関する。
【背景技術】
【０００２】
スキャナー等の画像読取装置で読み取った原稿の文字画像を認識するＯＣＲ処理を行う場合、処理前に原稿の輪郭や原稿の縁或いは基準孔等を基準に画像データの位置を合わせて画像データをファイルしなければならないため、基準が鮮明である必要がある。
【０００３】
通常の原稿は白色のため、画像を読取る読取センサに対向して設けられたプラテンローラ等の背景部材が白色だと、読み取られた原稿画像の周囲に付加される背景画像の色（背景色）が白色となり、読取った原稿の輪郭、縁、基準孔等は強調されない。
【０００４】
そこで、プラテンローラ等の回転部材の外周面を円周方向に黒色と白色とに色分けし、回転部材を回転操作することで、読取り時に原稿の背景色を白色か黒色に切り換える画像読取装置が提案されている（特許文献１）。
【０００５】
この提案では、原稿の背景色を黒色に切換えることで、原稿の輪郭、縁、孔等を強調し、ＯＣＲの処理を行う際、読取りデータの位置を合わせて画像データをファイルすることが容易になる。
【０００６】
一方、印刷や印字の濃度が薄く、かつ光が透過し易い原稿の場合、背景色が黒色だと背景色が透けて見えるため、読取った画像は印刷や印字（黒色の字）の強調処理を行い難くなる。この場合、原稿の背景色を白色に切り換えることで印刷や印字を強調することができる。
【０００７】
逆に、光が透過し易い両面印刷の原稿では、背景色を白色にすると、裏面の印刷や印字等が透けて見える度合いが強まるため、背景色を黒色にし、裏面の印刷や印字を強調しないようにすることができる。このように、読取る原稿によって背景色を使い分けている。なお、回転部材は、背景色の切換え時に回転するが、原稿読取中は背景色が切換わらないように停止させている。
【０００８】
また、一般的に、一度の原稿搬送で両面を読み取る画像読取装置においては、表面用と裏面用の２つの読取センサが設けられ、それぞれの読取センサの読取位置に対向して原稿を該読取センサに密着させるプラテンローラ等の背景部材が配置されている。
【特許文献１】特許第２７６１７３６号公報
【発明の開示】
【発明が解決しようとする課題】
【０００９】
ところで、プラテンローラ等の回転部材を備えた画像読取装置で原稿の背景色の切換えを実現するためには、例えば、地色が白色か黒色の回転部材に、地色と異なる色を塗装したり、地色と異なる色のシート状部材を貼り付けたりする方法が考えられる。
【００１０】
しかし、回転部材の塗装面を原稿が擦るため長期間使用すると塗装が薄くなって回転部材の色が透けて見え、色合いが変化してしまうことが問題となる。また、塗装の色むらがあると、色合いが不均一になるという問題が生じる。
【００１１】
また、回転部材にシート状部材を貼り付ける場合も、光が透過しない十分な厚みのあるシート状部材は貼り付け難く、シート状部材の端部が徐々に剥がれる可能性がある。シート状部材が剥がれると、回転部材の回転が妨げられ、故障の原因となる。また、貼り付けの容易な薄手のシート状部材は光が透過しやすいため、回転部材の色が透けて見え、所望する色合いにならないという欠点がある。
【００１２】
そこで、本発明は、周方向に明度の異なる領域を有する回転部材の耐久性を高めることができる画像読取装置を提供することを目的とする。
【００１３】
また、本発明は、読取センサとの距離を精度良く保つことができる回転部材を備えた画像読取装置を提供することを目的とする。
【００１４】
また、本発明は、回転部材が傷ついても、簡単に交換することができる画像読取装置を提供することを目的とする。
【課題を解決するための手段】
【００１５】
上記目的を達成するために、本発明の画像読取装置は、搬送路を搬送される原稿の画像を読取る読取センサと、該読取センサに対して前記搬送路を挟んで対向する位置に配置された回転部材と、を備える画像読取装置において、前記回転部材は、互いに明度の異なる色を有する少なくとも２つの円弧筒部材を組み合わせて形成されることを特徴とする。
【００１６】
また、本発明の画像読取装置は、略白色の円弧状部材の外周部に略白色又は透明のシート状部材を貼り付けるか、又は略白色又は透明の塗膜を形成したことを特徴とする。
【００１７】
また、本発明の画像読取装置は、回転部材の中心軸となる軸部材を備えることを特徴とする。
【００１８】
また、本発明の画像読取装置は、回転部材と保持部材と搬送ガイドとを一体に組み合わせた回転部材ユニットを備えることを特徴とする。
【発明の効果】
【００１９】
本発明によれば、回転部材を明度の異なる円弧筒部材を組み合わせて形成しているので、回転部材の表面に原稿が擦れても、表面の色が変わることがない。これにより、回転部材の耐久性が向上し、長期間にわたって使用することが可能となる。
【００２０】
また、略白色の円弧状部材の外周部に略白色又は透明のシート状部材を貼り付けるか、略白色又は透明の塗膜を形成したので、より長期にわたり均一な色合いを保つことが可能となる。
【００２１】
また、回転部材ユニットとしたこと、又は回転部材の中心に軸部材を設けたことで、読取センサと回転部材とを精度よく対向させられるようになった。また、回転部材ユニットとして回転部材を交換できるので、万一故障しても交換が簡単にできるようになった。
【発明を実施するための最良の形態】
【００２２】
以下、本発明の実施の形態を図を参照して説明する。
【００２３】
図２は、本発明の第１の実施形態である画像読取装置の装置構成を説明するための簡略図である。
【００２４】
この画像読取装置は、図２に示すように、原稿８が積載される原稿台７がピックアップローラ６に当接するまで上昇し、ピックアップローラ６でピックアップされた原稿８は給送ローラ４によって給送される。
【００２５】
ピックアップローラ６で同時に２枚以上の原稿８がピックアップされた場合は、分離ローラ１１により原稿８が一枚ずつに分離されて給送される。そして、給送された原稿８の画像は、読取センサ１によって読取られる。読取センサ１に対向する位置には、プラテンローラ（回転部材）１０が一定の隙間を介して設けられている。
【００２６】
プラテンローラ１０は円筒形状をなしており、外周面の半周領域が黒色部とされ、残りの半周領域が白色部とされている。通常、プラテンローラ１０は停止しており、原稿８の背景色を切換える際に回転動作する。読取センサ１で読取る原稿の種類に応じて、プラテンローラ１０の回転動作を制御して原稿８の背景色を黒色か白色かに切換えることが可能である。
【００２７】
例えば、印刷や印字の濃度が薄く、かつ透け易い用紙の原稿の場合には、読取センサ１にプラテンローラ１０の白色部が対向するように該プラテンローラ１０を回転させて原稿の背景色を白色に切り換え、印刷や印字文字等を強調する。
【００２８】
また、両面印刷で、かつ透け易い用紙の原稿の場合には、読取センサ１にプラテンローラ１０の黒色部が対向するように該プラテンローラ１０を回転させて原稿の背景色を黒色に切り換え、裏写りをなくす。
【００２９】
読取センサ１で画像が読取られた原稿８は搬送ローラ３によって搬送され、排紙ローラ５により排紙トレイ９に排紙される。また、原稿台７に積載された原稿８がすべて給送されると、原稿台７は下降してホームポジションに戻る。
【００３０】
なお、下部ユニット１２に対して、搬送ローラ３、給送ローラ４、読取センサ１、およびプラテンローラ１０を有する上部ユニット２はヒンジ１３を介して回動可能であり、搬送路を開閉できる。下部ユニット１２に対して上部ユニット２を回動操作して搬送路を開くことにより、搬送ローラ３、プラテンローラ１０、読取センサ１、搬送路の清掃、および搬送路に詰まった原稿の取り出しを行なうことができる。
【００３１】
上部ユニット２の回動操作は、不図示の開閉検知センサを用いて検知可能であり、不図示の制御手段は、上部ユニット２が元の位置に戻され、搬送路が閉状態になったことを確認して給送待機モードに入るよう制御する。
【００３２】
次に、図１を参照して、プラテンローラ１０について説明する。図１は、プラテンローラ１０の分解斜視図である。
【００３３】
図１に示すように、プラテンローラ１０は、半円筒状の白色部材（円弧筒部材）１４と、半円筒状の黒色部材（円弧筒部材）１５とを備える。
【００３４】
白色部材１４の軸方向の一端部（図の左端部）には、ボス１４ａが軸方向に突設され、軸方向の他端部（図の右端部）には、ボス１４ａと略同心の穴１４ｅが設けられている。また、白色部材１４の内周面の円周方向の略中央部には、嵌め込み凸部１４ｂ、引掛け凹部１４ｃおよび嵌め込み凸部１４ｄが軸方向に所定の間隔で配設されている。
【００３５】
一方、黒色部材１５の軸方向の一端部（図の左端部）には、ボス１４ａが嵌め込まれる穴１５ａが設けられ、軸方向の他端部（図の右端部）には、穴１４ｅに嵌め込まれるボス１５ｅが設けられている。
【００３６】
また、黒色部材１５の内周面の円周方向の略中央部には、嵌め込み凸部１４ｂの先端部に嵌め込まれる嵌め込み凹部１５ｂ、引掛け凹部１４ｃに軸方向に掛止される引掛け部１５ｃ、および嵌め込み凸部１４ｄの先端部に嵌め込まれる嵌め込み凹部１５ｄが軸方向に所定の間隔で配設されている。
【００３７】
白色部材１４と黒色部材１５とを組み合わせるには、まず、白色部材１４の嵌め込み凸部１４ｂ、引掛け凹部１４ｃおよび嵌め込み凸部１４ｄに対して、黒色部材１５の嵌め込み凹部１５ｂ、引掛け部１５ｃおよび嵌め込み凸部１４ｄを軸方向の一端側（図の左端側）にずらした状態で白色部材１４と黒色部材１５とを径方向に合わせる。
【００３８】
次いで、白色部材１４に対して黒色部材１５を軸方向の他端側（図の右端側）に相対的にスライドさせることにより、白色部材１４のボス１４ａが黒色部材１５の穴１５ａに軸方向に嵌め込まれるとともに、白色部材１４の穴１４ｅに黒色部材１５のボス１５ｅが軸方向に嵌め込まれる。
【００３９】
これと同時に、黒色部材１５の嵌め込み凹部１５ｂ，１５ｄが白色部材１４の嵌め込み凸部１４ｂ，１４ｄの先端部に径方向に嵌め込まれるとともに、黒色部材１５の引掛け部１５ｃが白色部材１４の引掛け凹部１４ｃに軸方向に嵌め込まれる。
【００４０】
これにより、白色部材１４と黒色部材１５とが組み合わせられ、円筒形状のプラテンローラ１０が形成される。なお、このように組み合わせた後、白色部材１４と黒色部材１５が外れないように、不図示のスナップフィット等によって外れ防止をしている。また、白色部材１４と黒色部材１５との凹凸嵌合構造は、特に限定されず、種々の凹凸嵌合構造を採用することができる。
【００４１】
図３は、プラテンローラ１０、保持部材１６，１７、および搬送ガイド１８からなるプラテンローラユニット（回転部材ユニット）２２の斜視図である。
【００４２】
保持部材１６，１７は、搬送される原稿８を案内する搬送ガイド１８を保持すると共に、軸受部１６ｂ，１７ｂを介してプラテンローラ１０の軸方向の両端部を回転可能に保持している。
【００４３】
プラテンローラユニット２２を本体装置に装着した後、保持部材１６，１７のスペーサ部１６ａ，１７ａに、読取センサ１（図２参照）が当接することで、プラテンローラ１０と読取センサ１との間に所定の隙間が確保される。なお、スペーサ部１６ａ，１７ａはプラテンローラユニット２２側ではなく、読取センサ１側に設けてもよい。
【００４４】
図４は、本体装置にプラテンローラユニット２２を取り付ける際の様子を示す斜視図である。
【００４５】
本体装置にプラテンローラユニット２２を取り付けるには、まず、図４に示すように、下部ユニット１２に対して上部ユニット２を開く。上部ユニット２の原稿８の搬送方向と直交する幅方向の両側壁には、略Ｕ字状に切り欠かれた取付部２３が設けられている。
【００４６】
そして、プラテンローラユニット２２を、搬送ガイド１８を上方に配置し、かつ上部ユニット２の幅方向にプラテンローラ１０の軸線を配置した状態で、該軸線方向（図の矢印方向）に移動させ、その後、上部ユニット２の各取付部２３に保持部材１６，１７の一部を挿入する。
【００４７】
この状態で、プラテンローラユニット２２をプラテンローラ１０の軸線回りに回転させることで、プラテンローラユニット２２が上部ユニット２に取り付けられる。
【００４８】
具体的には、図５に示すように、上部ユニット２の取付部２３の上方には突起２４が設けられ、プラテンローラユニット２２の保持部材１６，１７に設けられた軸受部１６ｂ，１７ｂには、それぞれアーム部１６ｆが形成されている。
【００４９】
アーム部１６ｆは可撓性部材で形成されており、該アーム部１６ｆには、上部ユニット２の突起２４に着脱自在に掛止する掛止部１６ｅが設けられている。
【００５０】
そして、図５および図６に示すように、搬送ガイド１８を上方に配置した状態でプラテンローラユニット２２の軸受部１６ｂ，１７ｂを上部ユニット２の取付部２３，２３に挿入して突き当てる（図６参照）。
【００５１】
この状態で、プラテンローラユニット２２をプラテンローラ１０の軸回りに９０°回転（図６の矢印方向）させると、アーム１６ｆが撓んで突起２４を乗り越え、掛止部１６ｅが突起２４に嵌め込まれる（図７参照）。これにより、プラテンローラユニット２２を上部ユニット２に容易に取り付けることができる。
【００５２】
かかる取り付け状態においては、プラテンローラ１０に設けられた不図示のギアと、装置本体に設けられた不図示の駆動部とが連結される。ユーザによる操作を基に、制御手段が駆動部の駆動を制御することで、プラテンローラ１０が回転動作して、白色部材１４又は黒色部材１５が読取センサ１に対して対向配置され、原稿８の背景色が白色又は黒色に切り換えられる。
【００５３】
一方、プラテンローラユニット２２を上部ユニット２から取り外す場合は、アーム１６を撓ませて掛止部１６ｅを突起２４から外した後、上述した取り付ける工程と逆の工程を経ることにより、プラテンローラユニット２２を上部ユニット２から容易に取り外すことができる。なお、プラテンローラユニット２２を下部ユニット１２にも上記同様にして着脱自在に取り付けるようにしてもよい。
【００５４】
以上説明したように、この実施形態では、プラテンローラ１０を半円筒状の白色部材１４と半円筒状の黒色部材１５とを組み合わせて形成しているので、プラテンローラ１０の表面に原稿８が擦れても、表面の色が変ったり、表面が剥がれたりすることがない。
【００５５】
これにより、プラテンローラ１０の耐久性が向上し、長期間にわたって使用することが可能となる。
【００５６】
なお、略白色の半円筒状部材１４の外周面上に略白色のテープ等のシート状部材を粘着剤や接着剤等を用いて固定してもよい。このシート状部材は、薄手であっても、下地に略白色の半円筒状部材１４があるため白色度は低下せず、かつ半円筒状部材１４よりも耐摩耗性が優れている。また、略白色のシート状部材を固定するかわりに、略白色の塗膜を形成してもよい。この塗膜に色むらがあっても、下地に略白色の半円筒状部材１４があるため、均一な白色度となる。また、耐摩耗性も半円筒状部材１４よりも優れている。なお、プラテンローラ１０に固定するシート状部材や形成する塗膜は透明であっても同様の効果がある。
【００５７】
また、プラテンローラ１０は、白色部材１４に対して黒色部材１５を軸方向に相対移動させることで組み立てることができるので、プラテンローラ１０の組み立て作業の容易化を図ることができる。
【００５８】
更に、プラテンローラ１０、保持部材１６，１７、および搬送ガイド１８を有するプラテンローラユニット２２を上部ユニット２に対して容易に着脱することができるので、寿命等によりプラテンローラ１０を交換する作業やプラテンローラ１０を清掃する作業を効率よく行なうことができる。
【００５９】
更に、プラテンローラ１０と搬送される原稿８を案内する搬送ガイド１８が一体にユニット化されているので、プラテンローラ１０と搬送ガイド１８との相対位置を精度よく保つことができる。
【００６０】
これにより、プラテンローラ１０と読取センサ１との隙間を必要最小限に精度よく保つことができ、読取画質が向上する。
【００６１】
次に、図８を参照して、本発明の第２の実施形態である画像読取装置について説明する。図８は、本発明の第２の実施形態である画像読取装置に取り付けられるプラテンローラを説明するための分解斜視図である。なお、上記第１の実施形態と重複する部分についてはその説明を省略する。
【００６２】
この実施形態では、プラテンローラの反りを防止し、プラテンローラと読取センサとの隙間を一定にすることができる画像読取装置を説明する。
【００６３】
プラテンローラ（回転部材）２５は、図８に示すように、半円筒状の白色部材（円弧筒部材）２６と、半円筒状の黒色部材（円弧筒部材）２７とを備える。
【００６４】
白色部材２６の軸方向両端部および軸方向中央部には、それぞれ軸方向の同一方向に突出する例えば円筒状の嵌め込み部２６ａ，２６ｅおよび嵌め込み部２６ｃが同軸上に設けられている。
【００６５】
黒色部材２７の軸方向両端部および軸方向中央部には、それぞれ嵌め込み部２６ａ，２６ｅおよび嵌め込み部２６ｃが軸方向に内嵌される例えば円筒状の被嵌め込み部２７ａ，２７ｅおよび被嵌め込み部２７ｃが同軸上に設けられている。
【００６６】
白色部材２６と黒色部材２７とを組み合わせるには、まず、黒色部材２７の被嵌め込み部２７ａ，２７ｅおよび被嵌め込み部２７ｃに対して、白色部材２６の嵌め込み部２６ａ，２６ｅおよび嵌め込み部２６ｃを軸方向の一端側（図の左端側）にずらした状態で白色部材２６と黒色部材２７とを径方向に合わせる。
【００６７】
次いで、黒色部材２７に対して白色部材２６を軸方向の他端側（図の右端側）に相対的にスライドさせることにより、白色部材２６の嵌め込み部２６ａ，２６ｅおよび嵌め込み部２６ｃが黒色部材２７の被嵌め込み部２７ａ，２７ｅおよび被嵌め込み部２７ｃに軸方向に嵌め込まれる。これにより、白色部材２６と黒色部材２７とが組み合わせられる。なお、このように組み合わせた後、白色部材２６と黒色部材２７とが外れないように、不図示のスナップフィット等によって外れ防止をしている。
【００６８】
その後、白色部材２６の嵌め込み部２６ａ，２６ｃ，２６ｅの内周部に軸２９を挿通することで、軸方向の両端に軸２９が突出した円筒形状のプラテンローラ２５が形成される。なお、白色部材２６と黒色部材２７との凹凸嵌合構造は、特に限定されず、種々の凹凸嵌合構造を採用することができる。
【００６９】
そして、軸方向の両端に軸２９が突出した円筒形状のプラテンローラ２５、図３に示す保持部材１６，１７、および搬送ガイド１８によって不図示のプラテンローラユニット（回転部材ユニット）が構成される。
【００７０】
このプラテンローラユニットでは、保持部材１６，１７の軸受部１６ｂ，１７ｂを介してプラテンローラ２５の軸方向両端に突出した軸２９が回転可能に支持される。なお、軸２９を保持部材１６，１７に固定し、軸２９に対してプラテンローラ２５を回転可能に支持するようにしてもよい。
【００７１】
以上説明したように、この実施形態では、白色部材２６の嵌め込み部２６ａ，２６ｅ，２６ｃを黒色部材２７の被嵌め込み部２７ａ，２７ｅ，２７ｃに軸方向に嵌め込んだ後、白色部材２６の嵌め込み部２６ａ，２６ｃ，２６ｅの内周部に軸２９を挿通している。
【００７２】
これにより、プラテンローラ２５に反りがあっても該反りを矯正することができ、プラテンローラ２５の形状精度を高めることができる。この結果、読取センサ１とプラテンローラ２５との隙間を読取センサ１の全長にわたって一定に保つことができ、読取画質が向上する。その他の構成および作用効果は、上記第１の実施形態と同様である。
【００７３】
なお、本発明は上記実施形態に例示したものに限定されるものではなく、本発明の要旨を逸脱しない範囲において適宜変更可能である。
【００７４】
例えば、上記実施形態では、円周方向の１８０°位置で２つに分割した半円筒形状の白色部材および黒色部材を例示したが、分割位置は特に限定されず、円周方向の任意の位置で２又は３以上に分割した円弧筒部材を組み合わせるようにしてもよい。
【００７５】
また、上記実施形態では、明度の異なる円弧筒部材として白色部材と黒色部材とを例示したが、これに限定されず、他の任意の色や薄い灰色や濃い灰色等の円弧筒部材を組み合わせるようにしてもよい。
【００７６】
また、図９に示すように、プラテンローラ１０の外周面のうち、静止時に読取センサ１に対向する部分は。他の円筒状の外周面よりも径方向内側に後退した形状にしてもよい。このようにすることで、プラテンローラ１０の外周面と原稿との接触を防止でき、プラテンローラ１０の耐久性が向上する。
【図面の簡単な説明】
【００７７】
【図１】本発明の第１の実施形態である画像読取装置に組み込まれるプラテンローラの分解斜視図である。
【図２】本発明の第１の実施形態である画像読取装置の装置構成を説明するための簡略図である。
【図３】プラテンローラユニットを説明するための斜視図である。
【図４】本体装置にプラテンローラユニットを取り付ける際の様子を示す斜視図である。
【図５】プラテンローラユニットの取り付け例を説明するための図である。
【図６】プラテンローラユニットの取り付け例を説明するための図である。
【図７】プラテンローラユニットの取り付け例を説明するための図である。
【図８】本発明の第２の実施形態である画像読取装置に組み込まれるプラテンローラの分解斜視図である。
【図９】本発明のプラテンローラの変形例を示す図である。
【符号の説明】
【００７８】
１  読取センサ
２  上部ユニット
３  搬送ローラ
４  給送ローラ
５  排紙ローラ
６  ピックアップローラ
７  原稿台
８  原稿
９  排紙トレイ
１０  プラテンローラ
１１  分離ローラ
１２  下部ユニット
１３  ヒンジ
１４  白色部材
１４ａ  ボス
１４ｂ  嵌め込み凸部
１４ｃ  引掛け凹部
１４ｄ  嵌め込み凸部
１４ｅ  穴
１５  黒色部材
１５ａ  穴
１５ｂ  嵌め込み凹部
１５ｃ  引掛け部
１５ｄ  嵌め込み凹部
１５ｅ  ボス
１６  保持部材
１６ａ  スペーサ部
１７  保持部材
１７ａ  スペーサ部
１８  搬送ガイド
１６ｂ  軸受部
１６ｅ  掛止部
１６ｆ  アーム部
１７ｂ  軸受部
２２  プラテンローラユニット
２３  取付部
２５  プラテンローラ
２６  白色部材
２６ａ  嵌め込み部
２６ｃ  嵌め込み部
２６ｅ  嵌め込み部
２７  黒色部材
２７ａ  被嵌め込み部
２７ｃ  被嵌め込み部
２７ｅ  被嵌め込み部
２９  軸
【図１】
2008252378.tif 000003
【図２】
2008252378.tif 000004
【図３】
2008252378.tif 000005
【図４】
2008252378.tif 000006
【図５】
2008252378.tif 000007
【図６】
2008252378.tif 000008
【図７】
2008252378.tif 000009
【図８】
2008252378.tif 000010
【図９】
2008252378.tif 000011